(57)【要約】【課題】間伐材、樹木の枝、立木、切り株等の被破砕物を破砕する際に、破砕片が受け体の側面から外部に散逸することを防止する破砕装置の側面開閉装置を得る。【解決手段】外周面に多数の刃（２２）を有する破砕ドラム（２０）と、該破砕ドラム（２０）の外周の一部を包囲する側面視円弧状の受け体（２５）とを設け、前記破砕ドラム（２０）を回転させる駆動装置（１６）と、前記破砕ドラム（２０）と受け体（２５）とを破砕ドラム（２０）の回転軸心と直交する方向から接離方向に移動させる移動装置（１７）とを設け、前記受け体（２５）に、前記破砕ドラム（２０）の回転軸心と平行する軸心を中心に回動して前記受け体（２５）の側面を開閉する側板（３０）を設けるとともに、該側板（３０）を閉じ方向に回動付勢する閉塞付勢装置（３１）を設ける。【選択図】図２
2007136402.tif 000002
【特許請求の範囲】
【請求項１】
外周面に多数の刃（２２）を有する破砕ドラム（２０）と、該破砕ドラム（２０）の外周の一部を包囲する側面視円弧状の受け体（２５）とを設け、前記破砕ドラム（２０）を回転させる駆動装置（１６）と、前記破砕ドラム（２０）と受け体（２５）とを破砕ドラム（２０）の回転軸心と直交する方向から接離方向に移動させる移動装置（１７）とを設け、前記受け体（２５）に、前記破砕ドラム（２０）の回転軸心と平行する軸心を中心に回動して前記受け体（２５）の側面を開閉する側板（３０）を設けるとともに、該側板（３０）を閉じ方向に回動付勢する閉塞付勢装置（３１）を設けたことを特徴とする破砕装置の側面開閉装置。
【請求項２】
閉塞付勢装置（３１）は、一端が受け体（２５）に係止され、他端が側板（３０）に係止されるばねとしたことを特徴とする請求項１記載の破砕装置の側面開閉装置。
【発明の詳細な説明】
【技術分野】
【０００１】
本発明は、立木、間伐材、剪定された枝等を破砕する破砕装置に関し、特に破砕装置の側面開閉装置に関するものである。
【背景技術】
【０００２】
この種の破砕装置として、先に本件出願人が出願した特許文献１があった。即ち、外周面に多数の刃を有する破砕ドラムと、該破砕ドラムの外周の一部を包囲する側面視円弧状の受け体とを設け、前記破砕ドラムを回転させる駆動装置（油圧モータ）と、前記破砕ドラムと受け体とを破砕ドラムの回転軸心と直交する方向から接離方向に移動させる移動装置とを設け、前記破砕ドラムを回転させながら、受け体と破砕ドラムとの間に枝、間伐材等の被破砕物を供給し、これらを小片に破砕するようにしたものがあった。
【特許文献１】特願２００５−２４２０３５号
【発明の開示】
【発明が解決しようとする課題】
【０００３】
前記特許文献１に記載された破砕装置は、破砕ドラムが回転しながら受け体に対して接離方向に移動できるので、径の大きな被破砕物であってもこれを円滑に破砕することができ、また、破砕ドラム及び受け体よりも長い被破砕物であっても、該破砕物を長手方向から順次破砕することができる。
【０００４】
しかしながら、受け体の側面が開口していたため、破砕ドラム及び受け体よりも短い被破砕物を破砕する場合、破砕した破砕片が受け体の側面から外部に散逸し、該破砕片の回収に手数を要する問題があった。本発明は、受け体の側面に開閉可能な側板を設けることにより、破砕片が受け体の側面から外部に散逸するのを防止し、破砕片の回収を容易にした破砕装置の側面開閉装置を得ることを目的とする。
【課題を解決するための手段】
【０００５】
本発明は、前記目的を達成するために以下の如く構成したものである。即ち、請求項１に係る発明は、外周面に多数の刃を有する破砕ドラムと、該破砕ドラムの外周の一部を包囲する側面視円弧状の受け体とを設け、前記破砕ドラムを回転させる駆動装置と、前記破砕ドラムと受け体とを破砕ドラムの回転軸心と直交する方向から接離方向に移動させる移動装置とを設け、前記受け体に、前記破砕ドラムの回転軸心と平行する軸心を中心に回動して前記受け体の側面を開閉する側板を設けるとともに、該側板を閉じ方向に回動付勢する閉塞付勢装置を設ける構成にしたものである。
請求項２に係る発明は、前記閉塞付勢装置を、一端が受け体に係止され、他端が側板に係止されるばねとしたものである。
【発明の効果】
【０００６】
本願の請求項１に係る発明は、移動装置を作動させることによって破砕ドラムと受け体との間隙を被破砕物の大きさに容易に対応させることができる。そして、破砕ドラムと受け体との間に被破砕物を介在させ、駆動装置により破砕ドラムを回転させながら前記移動装置により破砕ドラムと受け体とを互いに接近方向に移動させると、両者間に介在した被破砕物が小片に破砕されることになる。この場合、被破砕物が破砕ドラム及び受け体よりも短い場合には、側板が閉塞付勢装置によって受け体の側面を閉塞し、該側面から破砕片が外部に散逸しなくなる。
【０００７】
また、被破砕物が破砕ドラム及び受け体よりも長い場合には、該被破砕物が受け体に半径方向外方から嵌合する際に、該被破砕物が側板の縁部に当接して該側板を開作動させながら前記受け体に嵌合する。そして、前記受け体の側面は被破砕物の破砕端面によって閉塞されることになり、該側面から破砕片が外部に散逸しなくなる。
【０００８】
本願の請求項２に係る発明は、側板をばねにより閉じ方向に作動させるようにしたので、側板の閉塞付勢装置が小型かつ簡素となる。
【発明を実施するための最良の形態】
【０００９】
以下本発明の実施例を図面に基いて説明する。図１は本発明を適用した作業機の説明用側面図、図２は図１の要部拡大側面図、図３は図２の平面図である。
【００１０】
図１において、１はパワーショベルからなる作業機であり、下部にキャタピラー２を、上部に第１油圧シリンダ３ａによって上下に回動されるブーム３、該ブーム３の先端部に第２油圧シリンダ４ａによって上下に回動されるアーム４、及びこれらを操縦するためのキャビン５等を有する。
【００１１】
前記アーム４の先端部に破砕装置１０が取り付けられている。破砕装置１０は、第１油圧モータ１１、第２油圧モータ（駆動装置）１６、破砕ドラム２０、及び受け体２５を主要部としてなる。前記第１油圧モータ１１は、回動ブラケット１２を介して前記アーム４の先端部に取り付けられる。即ち、前記アーム４の先端部に水平な第１支点ピンＰ１を介して回動ブラケット１２を回動可能に連結し、該回動ブラケット１２に前記第１油圧モータ１１を第１支点ピンＰ１と直交させて連結する。前記回動ブラケット１２は、第３油圧シリンダ１３を伸縮作動させることによって第１支点ピンＰ１を中心として回動され、前記第１油圧モータ１１の回転軸心の水平面に対する傾斜角度が調節できるようにする。
【００１２】
前記第１油圧モータ１１の出力側に回転ブラケット１５（１５ａ，１５ｂ）を連結し、該回転ブラケット１５に受け体２５、及び第２油圧モータ１６を連結する。即ち、図２に示すように、第１油圧モータ１１の出力側に第１回転ブラケット１５ａを左方（前方）に向けて突出固定し、該第１回転ブラケット１５ａの左部に受け体２５を固定する。また、前記第１回転ブラケット１５ａに、第１油圧モータ１１の回転軸心と直交する第２支点ピンＰ２を介して第２回転ブラケット１５ｂを回動可能に取付け、該第２回転ブラケット１５ｂに第２油圧モータ１６を前記第１油圧モータ１１の回転軸心と直交させて連結する。
【００１３】
前記第２油圧モータ１６の出力側に円筒状の破砕ドラム２０を同軸に連結する。該破砕ドラム２０は、図３に示すように、円筒状のドラム主体２１の外周に多条の螺旋溝２１ａを形成し、該螺旋溝２１ａに短い角柱状の刃２２を所定の間隔をおいて起立固定する。この場合、前記螺旋溝２１ａは角溝にすると共に、その螺旋角度は各刃２２の１つの角が回転方向に向く如く設定する。
【００１４】
前記第２回転ブラケット１５ｂは、図２に示すように、第４油圧シリンダ（移動装置）１７を伸縮作動させることによって第２支点ピンＰ２を中心として回動され、前記破砕ドラム２０を後述の受け体２５に対して破砕ドラム２０の回転軸心と直交する方向（図２において上方）から接離方向に移動させ、該破砕ドラム２０を受け体２５に嵌合又は該受け体２５から離脱させる。
【００１５】
前記受け体２５は、側面視円弧状に形成されて破砕ドラム２０の外周の一部を包囲する。即ち、図２に示すように、前部（左部）が接線方向に延びる側面視円弧状にした５個の縦リブ２６を横（幅）方向に所定の間隔をおいて配列し、該縦リブ２６の内面に多数の細長い角形の横桟２７を交差させて縦（前後）方向に所定の間隔をおいて配列するとともに、各縦リブ２６の内面に形成した溝に嵌合させて両者を溶接により一体に固着する。前記各縦リブ２６のうち、図３において上部側の２個の縦リブ２６ａ，２６ｂは後方に延長させて前述した第１回転ブラケット１５ａとする。
【００１６】
前記受け体２５に、該受け体２５の一方の側部（図３において下部）を開閉する側板３０を取り付ける。該側板３０は、図２、図３に示すように、側面形状を半円板状にして受け体２５の側面に対面させ、その右端部を第３支点ピンＰ３を介して受け体２５に回動可能に連結する。そして、前記側板３０を閉塞付勢装置３１により閉じ方向に作動させる。該閉塞付勢装置３１はコイルばねからなり、該コイルばねのコイル部３１ａを前記第３支点ピンＰ３に嵌合させ、その一端３１ｂを前記側板３０に係止し、その他端３１ｃを受け体２５に係止し、前記コイル部３１ａの反力で前記側板３０を閉じ方向に回動付勢し、無負荷時において、図２の実線でに示すように、受け体２５の一方の側面（図３において下面）を閉じるようにする。なお、前述した閉塞付勢装置３１は、空気ばね、あるいは弾性を有する合成ゴム、プラスチック等の弾性体を受け体２５と側板３０との間に介在させて形成するようにしてもよい。
【００１７】
次に、前記作業機１の使用態様について説明する。まず、破砕装置１０により間伐材、切り取られた樹木の枝等の被破砕物を粉砕する際には、第１油圧シリンダ３ａ〜第３油圧シリンダ１３、及び第１油圧モータ１１を作動させ、破砕装置１０を図１の姿勢Ａで示すように、地面近傍で水平に位置させる。この状態で第４シリンダ１７を短縮作動させ、図２の仮想線で示すように破砕ドラム２０を開作動、つまり受け体２５から上方に離間させ、該受け体２５内に前記被破砕物を投入する。
【００１８】
次いで、第２油圧モータ１６を起動させて破砕ドラム２０を図１、図２において反時計方向に回転させつつ、前記第４シリンダ１７を伸長作動させて破砕ドラム２０を閉方向、つまり受け体２５方向に回動させる。さすれば、破砕ドラム２０の刃２２が受け体２５内の前記被破砕物に接触し、これを小片に破砕することになる。また、破砕された破砕物は受け体２５の縦リブ２６、横桟２７の間隙部から外部に排出されることになる。なお。被破砕物の種類によっては、予め受け体２５に対する破砕ドラム２０の間隙を一定にしておき、この状態で破砕ドラム２０を回転させながら、対象とする被破砕物を順次破砕装置１０に投入するようにしてもよい。
【００１９】
前記被破砕物を破砕する際において、被破砕物が破砕ドラム２０及び受け体２５よりも長い場合には、該被破砕物が受け体２５に半径方向外方から嵌合する際に、該被破砕物が側板３０の上縁部に当接して該側板３０を下方に回動（開作動）させながら前記受け体２５に嵌合する。これにより、前記側板３０は図１、図２の仮想線で示すように、下方に回動して受け体２５の一方の側面を開くことになる。
【００２０】
しかしながら、前記受け体２５の一方の側面は被破砕物の破砕端面によって閉塞されることになるので、該破砕端面によって破砕片が受け体２５の一方の側面から外部に散逸しなくなる。また、被破砕物が破砕ドラム２０及び受け体２５よりも短い場合には、前記側板３０が閉塞付勢装置３１によって閉じ方向に作動され、前記受け体２５の一方の側面を閉塞し、該側面から破砕片が外部に散逸しなくなる。
【００２１】
この場合、前記受け体２５の他方の側面、つまり第２油圧モータ１６側の側面は開口しているが、破砕ドラム２０の刃２２が、図３に示すように、破砕回転時に側板３０方向に送り傾向を有する螺旋状に配列されているので、破砕片が受け体２５の前記他方の側面から外部に散逸することはなくなる。なお、前記刃２２の配列形態等により、破砕片が受け体２５の前記他方の側面からも外部に散逸する場合には、該他方の側面部に前述と同様の側板３０を取り付けるようにする。
【００２２】
次に、地面から起立した立木、切り株等の被破砕物Ｗを粉砕する際には、第４シリンダ１７を短縮作動させて破砕ドラム２０を開作動させた後、前記第１油圧シリンダ３ａ〜第３油圧シリンダ１３、及び第１油圧モータ１１を作動させ、破砕装置１０を図１の姿勢Ｂで示すように上下に向け、受け体２５と破砕ドラム２０とで前記被破砕物を挟む。
【００２３】
次いで、第２油圧モータ１６を起動させて破砕ドラム２０を回転させつつ、第４シリンダ１７を伸長作動させて破砕ドラム２０を閉方向、つまり受け体２５方向に移動させる。さすれば、破砕ドラム２０の刃２２が前記被破砕物Ｗに接触し、これを小片に破砕することになる。また、破砕された破砕物は受け体２５の縦リブ２６、横桟２７の間隙部から外部に排出されることになる。この場合、側板３０は前記被破砕物Ｗによって開作動されるので、破砕機能を阻害しなくなる。
【図面の簡単な説明】
【００２４】
【図１】本発明を適用した作業機の説明用側面図である。
【図２】図１の要部拡大側面図である。
【図３】図２の平面図である。
【符号の説明】
【００２５】
１    作業機
２    キャタピラー
３    ブーム
３ａ  第１油圧シリンダ
４    アーム
４ａ  第２油圧シリンダ
５    キャビン
１０    破砕装置
１１    第１油圧モータ
１２    回動ブラケット
１３    第３油圧シリンダ
１５    回転ブラケット
１５ａ  第１回転ブラケット
１５ｂ  第２回転ブラケット
１６    第２油圧モータ（駆動装置）
１７    第４油圧シリンダ（移動装置）
２０    破砕ドラム
２１    ドラム主体
２２    刃
２５    受け体
２６    縦リブ
２７    横桟
３０    側板
３１    閉塞付勢装置（コイルばね）
Ｗ      被破砕物
【図１】
2007136402.tif 000003
【図２】
2007136402.tif 000004
【図３】
2007136402.tif 000005